(57)【特許請求の範囲】
【請求項１】
液体を吸引及び排出するスポイトと、このスポイトが収容される筒状のカバーと、を備えるカバー付き吸引具であって、
前記スポイトは、吸引された前記液体を貯留するスポイト筒と、このスポイト筒の上端に設けられる可撓性を有するキャップと、前記スポイト筒の下端に設けられるノズルと、からなり、
前記スポイト筒と、前記キャップと、前記ノズルと、は、互いに連通して内部空間を形成し、
前記カバーは、前記スポイト筒と前記キャップの少なくともいずれか一方に取り付けられる上方カバーと、この上方カバーの下方に配置される下方カバーと、この下方カバーを前記上方カバーに対し移動可能に係止する係止部と、からなり、
前記スポイト筒は、前記内部空間に存在する内部空気が前記スポイトの周囲の外部空間へ排出されることを許容し、かつこの外部空間に存在する外部空気が前記内部空間へ移動することを抑制するための排気弁が設けられ、
この排気弁は、前記スポイト筒に穿設される排気口と、この排気口を開放及び閉止する排気弁体と、が備えられ、
前記ノズルは、その先端に先端口が開口し、
前記下方カバーは、その下端に開放口が設けられ、前記移動に伴い、前記先端口をその中空部に収容し、又は、前記先端口を前記開放口を通過させて前記中空部から脱出させ、
前記キャップは、前記外部空気を前記内部空間へ導入するための導入部が設けられ、
この導入部は、前記キャップに穿設される導入口と、この導入口を開放及び閉止する蓋体と、が備えられ、
前記スポイト筒は、前記液体が前記ノズルを介して前記内部空間へ吸引され貯留されることを許容し、かつこの内部空間に貯留された前記液体が前記ノズルを介して排出されることを抑制する逆止弁が設けられ、
この逆止弁は、前記スポイト筒又は前記ノズルを閉止可能な閉止弁体を備え、所望の際に前記液体を前記内部空間から前記外部空間へ移動させる流路を形成する開放機構が設けられ、
前記閉止弁体は、その周縁のうちの一部分を占める取付部において、前記スポイト筒の内周面に取り付けられ、
前記流路は、前記閉止弁体の位置を変化させることで形成されることを特徴とするカバー付き吸引具。
【請求項２】
前記下方カバーは、その側面に長手方向に沿ってスリットが設けられ、
前記閉止弁体は、前記スポイト筒の下部に設置され、前記取付部が含まれる取付片と、この取付片に対して傾動する傾動片と、この傾動片と前記取付片を互いに連結する連結部と、からなり、
前記開放機構は、前記傾動片を傾動させるために、前記傾動片にその一端が固定される長尺状の弁ハンドルであり、
この弁ハンドルは、その他端が前記下方カバーの外側に突出するように、前記スリットを貫通して設置されることを特徴とする請求項１記載のカバー付き吸引具。
【請求項３】
前記スポイト筒は、前記排気弁と前記ノズルの間に、空気透過性フィルタが設けられることを特徴とする請求項１又は請求項２に記載のカバー付き吸引具。
【請求項４】
前記係止部は、前記上方カバーと前記下方カバーの少なくともいずれか一方に設けられることを特徴とする請求項１乃至請求項３のいずれか１項に記載のカバー付き吸引具。
【発明の詳細な説明】
【技術分野】
【０００１】
本発明は、スポイトと、このスポイトが収容される筒状のカバーと、を備えるカバー付き吸引具に係り、特に、簡単な操作で少量の液体を連続的に効率良く吸引可能であり、かつ使用後のスポイトによる周囲への汚染を防止可能なカバー付き吸引具に関する。
【背景技術】
【０００２】
従来、少量の液体や、床面等に薄く広がった液体をサンプリング等する場合、可撓性を有するスポイトを使用し、そのノズルを液面に接触させることによりサンプルを採取していた。
しかし、ノズルから少量の液体等を吸引する場合、同時に吸引される空気がスポイトの内部に充満し、サンプルとして必要な量の液体を採取することが困難であるという課題があった。また、液体を採取した後のスポイトに物が接触し、内部に貯留された液体が所定以外の場所に誤って放出されてしまう可能性があった。さらに、スポイトの使用後においては、通常ノズルは容器等に収容されず露出された状態にあるため、スポイトを持ち歩く際にノズルが周囲の構造物等に接触し、構造物等が液体によって汚染される可能性もあった。
これらの課題のうち、貯留された液体の誤放出や採取の困難性に対しては、有効な対策がなく、上記のような不具合を解消することができなかった。また、使用後のスポイトによる汚染に対しては、袋や容器等にスポイトを収容することで対処している。しかし、別途袋等を用意する必要がある上、サンプリングをする度にスポイトをこの袋等に出し入れする必要があり、作業が煩雑になるという課題があった。
そこで、このような課題を解決する目的で、近年、容器に収容されるスポイトや混入した空気を排出可能なピペット等に関する技術が開発されており、それに関して既にいくつかの発明や考案が開示されている。
【０００３】
まず、特許文献１には、「スポイド」という名称で、薬液の計量排出を的確に行うことのできるスポイドに関する考案が開示されている。
以下、特許文献１に開示された考案について説明する。特許文献１に開示されたスポイドに関する考案は、管状通路に第１の空気調節用の球を保持した通気調節用管に、第２の空気調節用の球を保持した外気導入調節管を一体に形成し、通気調節用管に嵌着したゴムキャップの頭部に形成した空気通路の中央部に第３の空気調節用の球を保持し、かつこの球の上端部よりゴムキャップの内腔に至る空気通路は断面がほぼ円錐形状の管状通路に形成し、第３の空気調節用の球の上端部より外部に至る空気通路は四角筒状通路に形成し、通気調節用管の下端にガラス管を接合してなることを特徴とする。
このような特徴を有するスポイドにおいては、まず、ゴムキャップを指で押さえてゴムキャップの内腔から空気を排除し、ゴムキャップを凹ませた状態とする。次に、第１の空気調節用の球の部分を摘まんで押さえると、ガラス管内の空気がゴムキャップ内に吸い込まれ、同時に薬液がガラス管内に吸入される。その後、第２の空気調節用の球を摘まんで押さえると、わずかな通気路が形成されて、ガラス管内に空気が流入し薬液が排出される。
したがって、薬液の計量排出を片手で的確に行うことができる。また、外気導入調節管と第２の空気調節用の球が備えられるため、ガラス管内に吸入された薬液の誤放出を防止することができる。
【０００４】
次に、特許文献２には、「液体定量スポイト容器」という名称で、容器内の溶液の漏れを防止可能な液体定量スポイト容器に関する考案が開示されている。
特許文献２に開示された考案は、頭部に蛇腹状の定量吸入部を有するスポイトと、スポイトを口部から挿入したとき定量吸入部が口部に当接するように構成した容器本体と、定量吸入部を圧縮して容器本体に装着するように構成したキャップと、からなる液体定量スポイト容器において、容器本体の口部に定量吸入部の蛇腹状部分の底が当接する台部を有するとともに容器本体内でスポイトの外周に先端部のみ当接する底狭状のスカート部を一体に有する内栓を設けたことを特徴とする。
このような特徴を有する液体定量スポイト容器においては、容器本体にスポイトを挿入し、キャップを装着すると、スポイトの定量吸入部が圧縮されて台部に安定して支持される。また、キャップを取り外すと、定量吸入部が自らの弾性により伸長し、容器本体に収納された液体を自動的に吸入することとなる。
したがって、キャップを容器本体に装着する、又はキャップを容器本体から取り外すという簡易な操作により、容器本体に挿入されたスポイトを容器内溶液が漏出することなく保持可能であるとともに、スポイトから溶液を素早く滴下することができる。
【０００５】
次に、特許文献３には、「使い捨てピペット」という名称で、簡易、精密かつ確実に制御・動作する逆止弁を備える使い捨てピペットに関する発明が開示されている。
特許文献３に開示された発明は、スポイト筒と可撓性のキャップとが連通している使い捨てピペットにおいて、スポイト筒内に空気通過性フィルターを取り付け、スポイト筒の先端と空気通過性フィルターの間のスポイト筒内に開放機構付き逆止弁を設け、逆止弁と空気通過性フィルターとの間に液だめを設けてなることを特徴とする。
このような特徴を有する使い捨てピペットにおいては、圧縮されたキャップが元の形状に戻る間に、血液等がスポイト筒の先端から吸入される。したがって、出血量の少ない人の血液を少量ずつ繰り返し吸引して採取量を最終的に目的量とすることができる。さらに、空気通過性フィルターによって、血液等がキャップの中に侵入することを阻止できる。
また、逆止弁により、スポイト筒の先端から血液等を吸引することはできるが、逆流しないようになっている。さらに、逆止弁の開放機構により、逆止弁を通過し排出ノズルの先端から吸引された血液等を自在に排出できる。
【０００６】
そして、特許文献４には、「使い捨てピペット及び採血器」という名称で、所定量の血液等を正確に採取すること等が可能な使い捨てピペット及び採血器に関する発明が開示されている。
特許文献４に開示された発明は、スポイト筒と可撓性のキャップが連通している使い捨てピペットにおいて、液体を一時吸液可能であり、かつ、圧縮することあるいは気体を吹き付けることによって吸液している液体を放出されることが可能である一時吸液体をスポイト筒内に取り付け、一時吸液体とキャップとの間に空気通過性フィルターを取り付け、スポイト筒の先端と一時吸液体との間に解放機構付き逆止弁を取り付け、スポイト筒の先端から一時吸液体へ向かっての液体の移動のみを通常可能としていることを特徴とする。
このような特徴を有する使い捨てピペットにおいては、キャップを挟んで押圧すると、キャップの内部の空気のうち一部がキャップの底部に形成されている隙間を通って外へ排出され、キャップが凹む。次に、キャップへの押圧を止めると、キャップが元の形状に戻ろうとし、吸引口部品の先端から血液等が吸引される。次に、吸引された血液等は、一時吸液体圧縮ピンによって圧縮されると、吸引口部品の先端から流れ出す。
したがって、血液等に気泡が混入することなく、所定量の血液を容易かつ正確に採取し、排出可能である。
【先行技術文献】
【特許文献】
【０００７】
【特許文献１】実願昭４９−１１７６９５号公報（実開昭５１−４４９８６号）のマイクロフィルム
【特許文献２】実公平２−３３８７２号公報
【特許文献３】特開２００４−３２１９０５号公報
【特許文献４】特開２００５−１７２８０号公報
【発明の概要】
【発明が解決しようとする課題】
【０００８】
しかしながら、特許文献１に開示された考案においては、薬液の吸入から排出に至るまでに、ゴムキャップと、第２及び第３の空気調節用の球をそれぞれ押さえることが必要である。そのため、例えば、面積の広い床面等においてサンプリングを繰り返す場合には、操作の回数が増加し、作業者の疲労を招くおそれがある。
また、例えば、薬液が極めて少量であった場合、第１の空気調節用の球を複数回押さえることで、凹んでいたゴムキャップが元の大きさに戻ることが考えられる。そのため、十分な量の薬液を吸入するには、再度ゴムキャップを凹ませ、さらに第１の空気調節用の球を繰り返し押さえるという二段階の操作を行う必要がある。すなわち、特許文献１に開示された考案においては、一種類の操作のみを行って少量の液体等を連続的に吸引することが困難であるものと考えられる。
また、特許文献１に開示された考案においては、使用後のガラス管を持ち歩くことは想定されていないものと考えられる。そのため、当然に、ガラス管による周囲への汚染を防止する手段について、特に検討はなされていない。
【０００９】
次に、特許文献２に開示された考案においては、使用後のスポイトによる周囲への汚染を防止可能である。しかし、使用の度に、容器本体からスポイトを取り出したり、容器本体にスポイトを挿入したりする必要があり、このような出し入れの操作が煩雑である。
【００１０】
さらに、特許文献３に開示された発明においては、圧縮されたキャップが元の形状に戻る間に、血液等がスポイト筒の先端から吸入されるので、当初に最大であった採取量は、キャップが元の形状に戻るに連れ徐々に減少してくる。したがって、吸引するための時間が費やされるものの、キャップが元の形状に戻る頃には、血液等が殆ど吸引されないという場合も考えられる。したがって、採取の効率が良好でないおそれがある。
【００１１】
そして、特許文献４に開示された発明においては、特開２００５−１７２８０号公報の明細書段落００２２に記載されているように、キャップの底部に隙間が形成されているため、キャップを挟むとこの隙間から空気が排出されてキャップが凹む。しかし、この隙間は、キャップの容量と比較して十分に小さいので、キャップの内部の空気は瞬間的に排出されない。そのため、繰り返しキャップを凹ませることで吸引を繰り返すと、血液の採取に時間がかかることになる。したがって、特許文献３に開示された考案と同様に、採取の効率が良好でないおそれがある。
また、同公報の明細書段落００２９に記載されているように、血液の採取後キャップの内部に貯留した空気は、フィルター圧縮ピンを押し込むことで連通孔から排出される。さらに、同公報の図４に開示されているように、フィルター圧縮ピンを押し込むと、キャップの底部に設けられた隙間は閉鎖される。したがって、血液の吸引と、キャップの内部に貯留した空気の排出と、を一つの操作で行うことはできない。
したがって、特許文献１に開示された考案と同様に、簡単な操作で少量の液体を連続的に吸引可能であるとは言えない。
【００１２】
本発明は、このような従来の事情に対処してなされたものであり、簡単な操作で少量の液体を連続的に効率良く吸引可能であり、かつ使用後のスポイトによる周囲への汚染を防止可能なカバーを備えるカバー付き吸引具を提供することを目的とする。
【課題を解決するための手段】
【００１３】
上記目的を達成するため、第１の発明は、液体を吸引及び排出するスポイトと、このスポイトが収容される筒状のカバーと、を備えるカバー付き吸引具であって、スポイトは、吸引された液体を貯留するスポイト筒と、このスポイト筒の上端に設けられる可撓性を有するキャップと、スポイト筒の下端に設けられるノズルと、からなり、スポイト筒と、キャップと、ノズルと、は、互いに連通して内部空間を形成し、カバーは、スポイト筒とキャップの少なくともいずれか一方に取り付けられる上方カバーと、この上方カバーの下方に配置される下方カバーと、この下方カバーを上方カバーに対し移動可能に係止する係止部と、からなり、スポイト筒は、内部空間に存在する内部空気がスポイトの周囲の外部空間へ排出されることを許容し、かつこの外部空間に存在する外部空気が内部空間へ移動することを抑制するための排気弁が設けられ、この排気弁は、スポイト筒に穿設される排気口と、この排気口を開放及び閉止する排気弁体と、が備えられ、ノズルは、その先端に先端口が開口し、下方カバーは、その下端に開放口が設けられ、移動に伴い、先端口をその中空部に収容し、又は、先端口を開放口を通過させて中空部から脱出させることを特徴とする。
【００１４】
このような構成の発明において、スポイトとカバーは、例えば、それぞれ柔軟性及び弾性を有する合成樹脂やシリコンで形成される。また、カバーのうち上方カバーは、例えば、スポイト筒やキャップに接着剤を使用して接着することにより取り付けられる。さらに、上方カバーがスポイト筒に取り付けられる場合に、スポイト筒に設けられる排気弁は、上方カバーの内部又は上方カバーの外部のいずれに配置されても良い。
【００１５】
上記構成の発明においては、下方カバーを上方カバーに近付けるよう上方向に移動させてノズルの先端口を下方カバーの中空部から脱出させるとき、先端口から液体を吸引可能な状態となる。この状態で、可撓性を有するキャップを押さえて収縮させると、内部空気のうちキャップに存在する内部空気が圧縮される。この圧縮された内部空気は、スポイト筒に送られて排気弁の排気口を開放させるように排気弁体を動作させる。その後、ノズルの先端口を液体に接触させ、キャップを押さえることを中止すると、キャップが元の大きさに戻ろうとするのでスポイト筒の内部空気が負圧となり、排気口を閉止させるように排気弁体が動作する。これにより、液体がノズルの先端口を通過してスポイト筒の内部空間へ吸引される。
より詳細には、液体とともに外部空気が内部空間へ吸引される。外部空気が吸引されることによってキャップが完全に元の大きさに戻るため、内部空気の圧力は当初の状態、すなわち外部空気の圧力と均等となる。したがって、液体はノズルから排出されることなくスポイト筒に貯留される。
続いて、再度キャップを押さえて収縮させると、キャップの収縮によって圧縮された内部空気は専ら排気口から排出されるため、スポイト筒に貯留した液体が排出されることはなく、スポイト筒に液体が追加される。
【００１６】
また、スポイト筒に貯留した液体は、例えば、排気弁の排気口を閉止させるように排気弁体を動作させることによって、ノズルから排出される。なお、上方カバーが柔軟性を有する場合であって、かつ排気弁が上方カバーの内部に配置されている場合は、上方カバーを介し排気弁体を押さえることで排気口を閉止可能である。あるいは、上方カバーの外部に配置されている場合は、上方カバーが柔軟性を有していなくとも排気弁体を直接押さえることができるので、排気口を閉止可能である。
そして、液体がノズルから排出された後、下方カバーを上方カバーから遠ざけるよう下方向に移動させると、ノズルの先端口が下方カバーの中空部に収容される。したがって、先端口から液体を吸引不能な状態となるとともに、先端口が下方カバーに遮られて周囲に付着することが防止される。
【００１７】
次に、第２の発明は、第１の発明において、キャップは、外部空気を内部空間へ導入するための導入部が設けられ、この導入部は、キャップに穿設される導入口と、この導入口を開放及び閉止する蓋体と、が備えられ、スポイト筒は、液体がノズルを介して内部空間へ吸引され貯留されることを許容し、かつこの内部空間に貯留された液体がノズルを介して排出されることを抑制する逆止弁が設けられ、この逆止弁は、スポイト筒又はノズルを閉止可能な閉止弁体を備え、所望の際に液体を内部空間から外部空間へ移動させる流路を形成する開放機構が設けられ、閉止弁体は、その周縁のうちの一部分を占める取付部において、スポイト筒の内周面に取り付けられ、流路は、閉止弁体の位置を変化させることで形成されることを特徴とする。
【００１８】
このような構成の発明において、逆止弁としては、例えば、柔軟性及び弾性を有する合成樹脂材からなる複数の閉止弁体の周縁同士が、互いに隙間なく密着するように組み合わされたものが考えられる。また、開放機構としては、例えば、柔軟性及び弾性を有する合成樹脂材からなり、逆止弁を収容してノズルに配置される弁室が考えられる。この場合、弁室の両側を挟むことで、複数の閉止弁体の位置が変化して流路が形成される。
【００１９】
上記構成の発明においては、第１の発明の作用に加え、蓋体が導入口を閉止した状態でキャップを押さえて収縮させると、排気弁の排気口は開放されるが、逆止弁の閉止弁体はスポイト筒又はノズルを閉止している。その後、ノズルの先端口を液体に接触させ、キャップを押さえることを中止すると、スポイト筒の内部空気が負圧となり、排気口を閉止させるように排気弁体が動作するとともに、スポイト筒又はノズルの閉止を解除するように閉止弁体が動作する。これにより、液体がノズルの先端口と逆止弁を通過してスポイト筒の内部空間へ吸引される。
続いて、再度キャップを押さえて収縮させると、排気口は開放されるが、再び閉止弁体はスポイト筒又はノズルを閉止する。以降、上述したように、スポイト筒に液体が吸引され追加される。なお、キャップが完全に元の大きさに戻った場合、スポイト筒の内部空気が負圧となっていないため、閉止弁体はスポイト筒又はノズルを閉止した状態となっている。そのため、逆止弁によって、スポイト筒に貯留した液体の排出は、より確実に防止されることとなる。なお、キャップを収縮させているか否かに関わらず、液体が吸引される間は、蓋体が導入口を閉止した状態が維持されている。
【００２０】
一方、開放機構は、液体を内部空間から外部空間へ移動させる流路を形成するよう、閉止弁体に対してスポイト筒又はノズルの閉止を解除するように動作させる。これと同時に、導入口を開放するよう蓋体を動作させる。その結果、スポイト筒に貯留した液体は、導入口から流入してきた外部空気に押されることによって、前述した開放機構の例では、弁室を挟むことにより形成された流路を通過してノズルの先端口から外部空間へ排出される。
【００２１】
さらに、第３の発明は、第２の発明において、下方カバーは、その側面に長手方向に沿ってスリットが設けられ、閉止弁体は、スポイト筒の下部に設置され、取付部が含まれる取付片と、この取付片に対して傾動する傾動片と、この傾動片と取付片を互いに連結する連結部と、からなり、開放機構は、傾動片を傾動させるために、傾動片にその一端が固定される長尺状の弁ハンドルであり、この弁ハンドルは、その他端が下方カバーの外側に突出するように、スリットを貫通して設置されることを特徴とする。
このような構成の発明において、スリットは、下方カバーの外側から弁ハンドルを操作可能とし、かつ下方カバーを上方カバーに対し移動可能とするために、設けられるものである。
上記構成の発明においては、第２の発明の作用に加えて、弁ハンドルを回動させると、傾動片が連結部を中心として取付片に対し傾動する。したがって、取付片と傾動片が重複することなく一平面を形成する場合に、スポイト筒が閉止される。また、傾動片が取付片に対し傾斜する場合に、流路が形成される。
【００２２】
そして、第４の発明は、第１乃至第３のいずれかの発明において、スポイト筒は、排気弁とノズルの間に、空気透過性フィルタが設けられることを特徴とする。
このような構成の発明において、空気透過性フィルタとは、空気を透過させるが、液体は透過させないという性質を有したフィルタを意味しており、特に材質は限定されない。
上記構成の発明においては、第１乃至第３のいずれかの発明の作用に加えて、スポイト筒に吸引された液体と外部空気のうち、外部空気のみが内部空気となって空気透過性フィルタを透過する。一方、液体は空気透過性フィルタによって、排気弁に達することが防止されるため、スポイト筒に貯留した液体が排気口から漏れ出すことが防止される。
【００２３】
そして、第５の発明は、第１乃至第４のいずれかの発明において、係止部は、上方カバーと下方カバーの少なくともいずれか一方に設けられることを特徴とする。
このような構成の発明において、係止部としては、例えば、上方カバーの下端に複数段に亘って周設される突起等が考えられる。また、このような突起等は、下方カバーの上端に周設されても良く、又は、上方カバーの下端と下方カバーの上端の両方にそれぞれ周設されても良い。
上記構成の発明においては、第１乃至第４のいずれかの発明の作用に加えて、上方カバーに対し下方カバーを移動させる場合に、下方カバーが上方カバーから脱落することなく所望の位置で固定される。
【発明の効果】
【００２４】
第１の発明によれば、キャップを収縮させる度に、最大の吸引力で液体を吸引することができる。さらに、ノズルから液体とともに吸引される空気は、キャップを収縮させる度に排気弁から外部空間へ排出されるので、キャップやスポイト筒に内部空気が充満し、サンプルとして必要な量の液体を採取することができないという課題を解決可能である。
また、複数回キャップを収縮させる間、他の操作は何ら必要とされないことから、簡単な操作で液体を連続的に繰り返し吸引可能である。したがって、第１の発明は、１回の吸引では必要量が採取困難な、少量の液体や床面等に薄く広がった液体を効率的に採取することに特に適している。
さらに、先端口から液体を吸引不能な状態においては、先端口が下方カバーに遮られて周囲に付着することが防止されるため、先端口に付着した液体による周囲への汚染を回避することができる。
加えて、先端口が下方カバーに遮られるとともに、スポイト筒に排気弁が設けられるため、可撓性を有するキャップに物が接触した際に、スポイト筒に貯留された液体が所定以外の場所に誤って放出されてしまうことを防止できる。
【００２５】
第２の発明によれば、第１の発明の効果に加えて、逆止弁によって、スポイト筒に貯留された液体が誤って放出されてしまうことをより強く防止できる。一方で、逆止弁に備えられる開放機構と導入部の蓋体を同時に操作することによって、スポイト筒に貯留された液体を、所望のタイミングでノズルの先端口から外部空間へ排出可能である。
【００２６】
第３の発明によれば、第２の発明の効果に加えて、弁ハンドルを回動させるという極めて簡単な操作により、スポイト筒の閉止と流路の形成を自在に制御可能である。また、弁ハンドルは、その他端が下方カバーの外側に突出するように、スリットを貫通して設置されるため、例えば、開放機構が逆止弁を収容してノズルに配置される弁室である場合と比較して、流路を形成する際に弁室を押さえる必要がなく便利である。
【００２７】
第４の発明によれば、第１乃至第３のいずれかの発明の効果に加えて、空気透過性フィルタによって、排気口を介しての周囲への液体の飛散を防止可能である。
【００２８】
第５の発明によれば、第１乃至第４のいずれかの発明の効果に加えて、係止部により下方カバーを上方カバーに対して固定可能である。したがって、スポイトを持ち運ぶ際や液体を吸引中等の場合に、下方カバーが不意に移動することを抑制できる。
【図面の簡単な説明】
【００２９】
【図１】（ａ）及び（ｂ）は、それぞれ実施例に係るカバー付き吸引具の持ち運び時及び使用時における側面図である。
【図２】（ａ）及び（ｂ）は、それぞれ実施例に係るカバー付き吸引具を構成する逆止弁の開放時及び閉止時の状態を示す斜視図であり、（ｃ）は逆止弁の閉止時における平面図である。
【図３】（ａ）及び（ｂ）は、それぞれ実施例に係るカバー付き吸引具を構成する排気弁、逆止弁及び導入部の動作を説明するための斜視図であって、（ａ）は液体を吸引する準備段階の場合、（ｂ）は液体の吸引時の場合を示したものである。
【図４】液体の排出時における、実施例に係るカバー付き吸引具を構成する排気弁、逆止弁及び導入部の動作を説明するための斜視図である。
【図５】（ａ）及び（ｂ）は、それぞれ実施例の第１の変形例に係るカバー付き吸引具の使用時における側面図であって、（ａ）は液体を吸引する準備段階の場合、（ｂ）は液体の排出時の場合を示したものである。
【図６】（ａ）及び（ｂ）は、それぞれ実施例の第２の変形例に係るカバー付き吸引具の持ち運び時及び使用時における側面図である。
【発明を実施するための形態】
【実施例】
【００３０】
本発明の実施の形態に係る実施例のカバー付き吸引具について、図１乃至図５を用いて詳細に説明する。図１（ａ）及び図１（ｂ）は、それぞれ実施例に係るカバー付き吸引具の持ち運び時及び使用時における側面図である。
図１（ａ）及び図１（ｂ）に示すように、本実施例に係るカバー付き吸引具１は、液体（図示せず）を吸引及び排出するスポイト２と、このスポイト２が収容される筒状のカバー８と、を備える。
スポイト２は、吸引された液体を貯留するスポイト筒３と、このスポイト筒３の上端に設けられる可撓性を有するキャップ４と、スポイト筒３の下端に設けられるノズル５と、からなり、スポイト筒３と、キャップ４と、ノズル５と、は、互いに連通して内部空間６を形成する。なお、スポイト筒３と、キャップ４と、ノズル５は、いずれも柔軟性及び弾性を有する合成樹脂材を使用して一体的に形成されている。このうち、キャップ４は、伸縮自在なジャバラ状に形成されているが、これ以外にも例えば球状に形成されても良い。
また、スポイト筒３は、後述する排気弁１３とノズル５の間に、空気透過性フィルタ７が設けられる。この空気透過性フィルタ７は、空気を透過させるが、液体は透過させないという性質を有する多孔質膜である。
さらに、空気透過性フィルタ７の直下には、規定目盛３３が設けられる。この規定目盛３３は、サンプルとして必要な液体の規定量を示すものである。
【００３１】
カバー８は、キャップ４に取り付けられる上方カバー９と、この上方カバー９の下方に配置される下方カバー１０と、この下方カバー１０を上方カバー９に対し移動可能に係止する係止部１１と、からなる。このうち、上方カバー９は、その下縁９ａがテーパー型の下方カバー１０の内側に挿入されている。また、係止部１１は、上方カバー９の外周面に周設される複数段の鍔状体である。そのため、係止部１１の先端と下方カバー１０の内周面との摩擦によって、下方カバー１０が上方カバー９に対しその長軸に沿って上方向及び下方向に直線移動可能に固定される。なお、「上方向」とは、それぞれ下方カバー１０がキャップ４に近づく方向をいい、「下方向」とは下方カバー１０がキャップ４から遠ざかる方向をいう。これは、カバー付き吸引具１ａ，１ｂにおいても同様である。
スポイト筒３は、内部空間６に存在する内部空気Ａｉｎがスポイト２の周囲の外部空間１２へ排出されることを許容し、かつこの外部空間１２に存在する外部空気Ａｏｕｔが内部空間６へ移動することを抑制するための排気弁１３が設けられ、この排気弁１３は、スポイト筒３に穿設される排気口１３ａと、この排気口１３ａを開放及び閉止する排気弁体１３ｂと、が備えられる。より詳細には、排気口１３ａと排気弁体１３ｂは、一部を残して略円形状にスポイト筒３が切り込まれて形成されたものである。
ノズル５は、その先端に先端口５ａが開口し、下方カバー１０は、その下端に開放口１０ａが設けられ、下方カバー１０の移動に伴い、先端口５ａをその中空部１０ｂに収容し、又は、先端口５ａを開放口１０ａを通過させて中空部１０ｂから脱出させるように構成されている。
【００３２】
さらに、キャップ４は、外部空気Ａｏｕｔを内部空間６へ導入するための導入部１４が設けられ、この導入部１４は、キャップ４に穿設される導入口１４ａと、この導入口１４ａを開放及び閉止する蓋体１４ｂと、が備えられる。
また、スポイト筒３は、液体がノズル５を介して内部空間６へ吸引され貯留されることを許容し、かつこの内部空間６に貯留された液体がノズル５を介して排出されることを抑制する逆止弁１５が設けられる。
この逆止弁１５は、スポイト筒３を閉止可能な閉止弁体１６を備え、所望の際に液体を内部空間６から外部空間１２へ移動させる流路１７を形成する開放機構１８が設けられる。
閉止弁体１６は、その周縁のうちの一部分を占める取付部１６ａ（図２（ｃ）参照）において、スポイト筒３の内周面に取り付けられ、流路１７は、閉止弁体１６の位置を変化させることで形成される。
【００３３】
さらに、逆止弁について、図２を用いながらより詳細に説明する。図２（ａ）及び図２（ｂ）は、それぞれ実施例に係るカバー付き吸引具を構成する逆止弁の開放時及び閉止時の状態を示す斜視図であり、図２（ｃ）は逆止弁の閉止時における平面図である。なお、図１で示した構成要素については、図２においても同一の符号を付して、その説明を省略する。また、上方カバー９の図示も省略する。
図２（ａ）及び図２（ｂ）に示すように、下方カバー１０は、その側面に長手方向に沿ってスリット１０ｃが設けられる。
閉止弁体１６は、スポイト筒３の下部に設置され、取付部１６ａが含まれる取付片１９と、この取付片１９に対して傾動する傾動片２０と、この傾動片２０と取付片１９を互いに連結する連結部２１と、からなる。これらの取付片１９と、傾動片２０と、連結部２１は、いずれも合成樹脂材から形成されている。
なお、図２（ａ）に示すように、傾動片２０が、取付片１９に対し軸体２１ｃを中心として先端口５ａと反対側に傾動する場合に流路１７が形成される。また、図２（ｂ）に示すように、取付片１９と傾動片２０が重複することなく一つの平面を形成する場合に、スポイト筒３が閉止される。
【００３４】
図２（ｃ）に示すように、連結部２１を除く取付片１９と傾動片２０は、それぞれ面積の異なる弓形の平板をなしている。なお、取付部１６ａとは、取付片１９の弧に相当する周縁の全体を指す。また、連結部２１は、取付片１９と傾動片２０の弦に相当する部分にそれぞれ形成される管状のジョイント部２１ａ，２１ｂと、ジョイント部２１ａの内部を回動可能に貫通するとともにジョイント部２１ｂの内部に固定される軸体２１ｃと、からなるヒンジである。
開放機構１８は、傾動片２０を傾動させるために、傾動片２０にその一端２２ａが固定される長尺状の弁ハンドル２２である。この弁ハンドル２２は、その他端２２ｂが下方カバー１０の外側に突出するように、スリット１０ｃを貫通して設置される。より詳細には、一端２２ａは軸体２１ｃそのものであって、他端２２ｂは軸体２１ｃが延設されたものである。そのため、他端２２ｂを回動させると、傾動片２０が傾動することとなる。
【００３５】
続いて、本実施例に係るカバー付き吸引具の作用について、図３を用いて詳細に説明する。図３（ａ）及び図３（ｂ）は、それぞれ実施例に係るカバー付き吸引具を構成する排気弁、逆止弁及び導入部の動作を説明するための斜視図であって、図３（ａ）は液体を吸引する準備段階の場合、図３（ｂ）は液体の吸引時の場合を示したものである。なお、図１及び図２で示した構成要素については、図３においても同一の符号を付して、その説明を省略する。また、係止部１１の図示も省略する。
図３（ａ）に示すように、スポイト筒３に液体を吸引するための準備段階として、まず、導入部１４の蓋体１４ｂが導入口１４ａを閉止した状態で、キャップ４を押さえ圧縮する。すると、キャップ４からスポイト筒３に圧縮された内部空気Ａｉｎが送られる。この内部空気Ａｉｎの圧力により、排気弁体１３ｂが排気口１３ａを開放するように動作する。ただし、閉止弁体１６を構成する取付片１９及び傾動片２０は、スポイト筒３を閉止した状態である。
【００３６】
次に、図３（ｂ）に示すように、液体２６の吸引時においては、ノズル５の先端口５ａを液体２６に接触させてキャップ４を押さえることを中止すると、キャップ４が伸展し内部空間６が負圧となる。そのため、排気口１３ａを閉止させるように排気弁体１３ｂが動作するとともに、傾動片２０が軸体２１ｃを中心として傾動する。これにより、液体２６がノズル５の先端口５ａを通過してスポイト筒３の内部空間６へ吸引される。
このとき、液体２６とともに外部空気Ａｏｕｔが内部空間６へ吸引されるため、外部空気Ａｏｕｔと内部空気Ａｉｎは互いに混合し合い、その一部が空気透過性フィルタ７を通過してキャップ４の内部空間６へ送られる。これにより、キャップ４が完全に元の大きさに戻るため、内部空気Ａｉｎの圧力は当初の状態、すなわち外部空気Ａｏｕｔの圧力と均等となる。そのため、排気弁体１３ｂは排気口１３ａを閉止させたままであり、傾動片２０は元のスポイト筒３を閉止する状態に戻る。したがって、スポイト筒３に貯留された液体２６はノズル５から排出されることなくスポイト筒３に貯留されることになる。
【００３７】
続いて、再度キャップ４を押さえて収縮させると、図３（ａ）に示すように、キャップ４の収縮によって圧縮された内部空気Ａｉｎは専ら排気口１３ａから排出されるため、スポイト筒３に貯留した液体が排出されることはなく、スポイト筒３に液体２６が追加される。
以上のような排気弁体１３ｂ、閉止弁体１６及び蓋体１４ｂの状態を、表１に示す。
【００３８】
【表１】
0006607439.tif 000002
【００３９】
表１の上段は、図３（ａ）に示したように、キャップ４が圧縮される場合であって、排気弁体１３ｂにより排気口１３ａが開放され、閉止弁体１６の取付片１９と傾動片２０によりスポイト筒３が閉止され、さらに蓋体１４ｂにより導入口１４ａが閉止された状態である。
表１の下段は、図３（ｂ）に示したように、キャップ４が伸展する場合であって、排気弁体１３ｂにより排気口１３ａが閉止され、閉止弁体１６の傾動片２０によりスポイト筒３の閉止が解除され、さらに蓋体１４ｂにより導入口１４ａが閉止された状態である。
【００４０】
さらに、本実施例に係るカバー付き吸引具の作用について、図４を用いて詳細に説明する。図４は、液体の排出時における、実施例に係るカバー付き吸引具を構成する排気弁、逆止弁及び導入部の動作を説明するための斜視図である。なお、図１乃至図３で示した構成要素については、図４においても同一の符号を付して、その説明を省略する。
図３（ｂ）において説明したように、蓋体１４ｂによる導入口１４ａの閉止と、閉止弁体１６によるスポイト筒３の閉止とによって、液体２６はスポイト筒３に貯留されている。したがって、この液体２６を排出するには、導入口１４ａとスポイト筒３の閉止をそれぞれ解除することが必要である。
そのため、図４に示すように、導入部１４の導入口１４ａを開放するよう蓋体１４ｂを手動で動作させる。これと同時に、弁ハンドル２２を回動してスポイト筒３の閉止を解除するように傾動片２０を傾動させ、流路１７を形成する。その結果、スポイト筒３に貯留した液体２６は、導入口１４ａから流入する外部空気Ａｏｕｔに押されることによって、流路１７を通過してノズル５の先端口５ａから外部空間１２へ排出される。
このような排気弁体１３ｂ、閉止弁体１６及び蓋体１４ｂの状態を、表２に示す。
【００４１】
【表２】
0006607439.tif 000003
【００４２】
表２は、図４に示したように、スポイト筒３に貯留した液体が排出される場合であって、排気弁体１３ｂにより排気口１３ａが閉止され、閉止弁体１６の傾動片２０によりスポイト筒３の閉止が解除され、さらに蓋体１４ｂにより導入口１４ａが開放された状態を示したものである。
【００４３】
以上説明したように、本実施例のカバー付き吸引具１によれば、下方カバー１０を上方カバー９に対し移動させることによって、先端口５ａから液体２６を吸引可能な状態と吸引不能な状態とを、容易に切り替えることができる。
このうち、先端口５ａから液体２６を吸引可能な状態においては、キャップ４の圧縮と、スポイト筒３の内部空気Ａｉｎの排出が同時に可能である。そのため、常に最大の吸引力を発揮しながら、キャップ４の容量に制限されることなく液体２６を規定目盛３３に至るまで連続的に繰り返して採取することができる。したがって、カバー付き吸引具１によれば、特許文献１に開示された考案のように二段階の操作を行う必要がなく、一種類の操作で少量の液体２６を採取することが可能であるので、非常に効率的である。
【００４４】
また、先端口５ａから液体２６を吸引不能な状態においては、先端口５ａが下方カバー１０に収容されて周囲に付着することが防止されるため、スポイト筒３に液体２６が貯留される場合と貯留されていない場合のいずれにおいても、先端口５ａに付着した液体２６による周囲への汚染を回避することができる。そのため、従来のように使用後のスポイトを持ち運ぶ際に別途スポイトを収容するための袋等を用意する必要がなく、例えば、液体２６をサンプリングする作業を簡略化することができる。
さらに、先端口５ａが下方カバー１０に収容されるとともに、スポイト筒３に排気弁１３が設けられるため、可撓性を有するキャップ４に物が接触した際に、スポイト筒３に貯留された液体２６が所定以外の場所に誤って放出されてしまうことを防止できる。この効果は、逆止弁１５が設けられることで、より確実となる。
【００４５】
一方で、逆止弁１５に備えられる開放機構１８と導入部１４の蓋体１４ｂを同時に操作することによって、スポイト筒３に貯留された液体２６を、所望のタイミングでノズル５の先端口５ａから外部空間１２へ排出可能である。なお、下方カバー１０にスリット１０ｃが設けられることにより、下方カバー１０の外側から弁ハンドル２２を容易に回動させることができることから、例えば、面積の広い床面等においてサンプリングを繰り返す場合に操作の回数が増加したとしても、作業者の疲労を招くおそれがない。
【００４６】
そして、カバー付き吸引具１によれば、空気透過性フィルタ７によって、カバー付き吸引具１を傾斜させた場合や、規定目盛３３を超えて液体２６を吸引した場合であっても、排気口１３ａを介して周囲への液体２６が飛散することを防止可能である。すなわち、排気口１３ａを設けることによって生じる不利益を解消することができる。また、液体２６が空気透過性フィルタ７よりも上方のスポイト筒３やキャップ４の内部空間６に侵入することがないために、キャップ４を繰り返し収縮させる都度、上記のスポイト筒３やキャップ４の内部空間６を確認しなくても良い。
さらに、カバー付き吸引具１によれば、係止部１１（図１を参照）により下方カバー１０を上方カバー９に対して固定可能である。したがって、カバー付き吸引具１を持ち運ぶ際に、例えば工具等が下方カバー１０に接触した場合であっても、下方カバー１０が容易に移動してノズル５の先端口５ａが下方カバー１０の中空部１０ｂから脱出することを抑制できる。同様に、液体２６を吸引中に、下方カバー１０が液体の方に下降して先端口５ａが中空部１０ｂに収容されてしまうことを抑制できる。
また、係止部１１が複数段設けられることによって、液体２６の吸引時や排出時にそれぞれ最適となるよう、上方カバー９に対する下方カバー１０の位置を適宜調整可能である。これにより、吸引時に液体２６が開放口１０ａに付着することを確実に防止可能であるとともに、排出時に液体２６が周囲へ飛散することを防止することができる。
加えて、カバー付き吸引具１は、合成樹脂材からなり、比較的簡易な構成であるため、容易かつ安価に製造可能であるため、使い捨て可能な吸引具として使用することができる。
【００４７】
次に、本実施例の第１の変形例に係るカバー付き吸引具について、図５を用いて詳細に説明する。図５（ａ）及び図５（ｂ）は、それぞれ実施例の第１の変形例に係るカバー付き吸引具の使用時における側面図であって、図５（ａ）は液体を吸引する準備段階の場合、図５（ｂ）は液体の排出時の場合を示したものである。なお、図１乃至図４で示した構成要素については、図５においても同一の符号を付して、その説明を省略する。
図５（ａ）及び図５（ｂ）に示すように、本実施例の第１の変形例に係るカバー付き吸引具１ａは、スポイト筒３に複数の排気弁２３が備えられる。この排気弁２３は、スポイト筒３に穿設される排気口２３ａと、この排気口２３ａを開放及び閉止する排気弁体２３ｂと、ヒンジ２３ｃと、が備えられる。このうち、排気口２３ａは、円形状にスポイト筒３が切れ込まれて形成されたものである。また、排気弁体２３ｂは、ヒンジ２３ｃによって排気口２３ａの周辺の一箇所に取付られるとともに、スポイト筒３の外側から排気口２３ａを被覆して閉止可能である。したがって、排気弁体２３ｂは、内部空気Ａｉｎの圧力の他、自重によってもヒンジ２３ｃを中心として容易に傾動する。
【００４８】
一方で、カバー付き吸引具１ａには、導入部１４、逆止弁１５及び開放機構１８は備えられていない。また、テーパー型の下方カバー１０の代わりに、直径が一定をなす直管型の下方カバー２４が備えられる。この下方カバー２４は、カバー付き吸引具１ａに弁ハンドル２２が備えられないので、スリット１０ｃが不要である。
ノズル５の先端口５ａの反対端は、スポイト筒３の内部空間６に挿入される挿入口５ｂが形成されている。さらに、規定目盛３３は、カバー付き吸引具１ａを垂直に起こした場合に、スポイト筒３に吸引された液体２６が挿入口５ｂから漏出しないよう挿入口５ｂのやや下方に設けられている。
【００４９】
さらに、カバー付き吸引具１ａは、下方カバー２４の上縁２４ａが上方カバー９の内側に挿入されて設置されるとともに、カバー付き吸引具１における係止部１１の代わりに、係止部２５が備えられる。この係止部２５は、それぞれ上方カバー９の内周面と下方カバー２４の外周面に沿ってリング状に設けられる複数段の突出部２５ａ，２５ｂからなる。なお、突出部２５ａ，２５ｂは、それぞれ上方カバー９と下方カバー２４の長手方向に沿った断面が滑らかな半円状に形成されて互いに噛み合うことにより、下方カバー２４が上方カバー９に対しその長軸に沿って上方向及び下方向に直線移動可能に固定される。
この他のカバー付き吸引具１ａの構成は、実施例１に係るカバー付き吸引具１と同様である。
【００５０】
上記構成のカバー付き吸引具１ａにおいては、図５（ａ）に示すように、キャップ４を押さえ圧縮すると、カバー付き吸引具１と同様に、複数の排気弁体２３ｂが排気口２３ａを開放するように動作する。なお、カバー付き吸引具１ａでは逆止弁が備えられないため、規定目盛３３に達しようとする程度に液体２６（斜線部）が貯留している場合に、キャップ４からスポイト筒３に圧縮された内部空気Ａｉｎが送られることで、カバー付き吸引具１ａが垂直に起こされていても、液体２６が挿入口５ｂに流入するおそれがある。これを防止するため、複数の排気弁２３を設け、圧縮された内部空気Ａｉｎを、外部空間１２ｂへ瞬間的にほぼ排出し液体２６の表面に到達させないようにしたものである。
【００５１】
次に、液体２６の吸引時においては、カバー付き吸引具１と同様に、ノズル５の先端口５ａを液体２６に接触させてキャップ４を押さえることを中止すると、排気口２３ａを閉止させるように排気弁体２３ｂが動作し、液体２６がノズル５の先端口５ａを通過してスポイト筒３の内部空間６へ吸引される。
さらに、図５（ｂ）に示すように、スポイト筒３に貯留された液体２６が挿入口５ｂへ流入するようカバー付き吸引具１ａを傾斜させることで、液体２６が排出される。このとき、ノズル５の延長上に設けられた排気弁２３の排気弁体２３ｂは、ヒンジ２３ｃを介してスポイト３に連結されていることから、自重により鉛直方向とほぼ平行になるまで回動し、排気弁２３の排気口２３ａが開放された状態となる。その結果、この排気弁２３の排気口２３ａから外部空気Ａｏｕｔがスポイト筒３の内部空間６に流入し液体２６がスムーズに排出される。ただし、ノズル５の延長上に設けられた排気弁体２３ｂは、このような構造に限定されるものではない。例えば、ヒンジ２３ｃを設計変更すること等で、カバー付き吸引具１ａを傾斜させた際に、排気弁体２３ｂの自重による回動を防いで、排気口２３ａが勝手に開放しないような構造とすることもできる。この場合、例えば、液体２６が挿入口５ｂへ流入しないようにカバー付き吸引具１ａの傾斜をやや戻し、外部空気Ａｏｕｔをノズル５の先端口５ａから取り入れてスポイト筒３の内部空間６の負圧状態を解消した後、再度液体２６が挿入口５ｂへ流入するようカバー付き吸引具１ａを傾斜させると、上記と同様に液体２６がスムーズに排出される。
また、スポイト筒３には空気透過性フィルタ７が設けられているので、カバー付き吸引具１ｂを傾斜させてもスポイト筒３に貯留した液体２６が排気口２３ａから漏れ出すことが防止される。
この他のカバー付き吸引具１ａの作用は、実施例１に係るカバー付き吸引具１と同様である。
【００５２】
以上説明したように、本実施例の第１の変形例に係るカバー付き吸引具１ａによれば、逆止弁１５や開放機構１８が備えられないことでカバー付き吸引具１よりも安価に製造可能でありながら、カバー付き吸引具１と同様に、自在に液体２６をスポイト筒３へ吸引又はスポイト筒３から排出することができる。
この他のカバー付き吸引具１ａの効果は、実施例１に係るカバー付き吸引具１と同様である。
【００５３】
次に、本実施例の第２の変形例に係るカバー付き吸引具について、図６を用いて詳細に説明する。図６（ａ）及び図６（ｂ）は、それぞれ実施例の第２の変形例に係るカバー付き吸引具の持ち運び時及び使用時における側面図である。なお、図１乃至図５で示した構成要素については、図６においても同一の符号を付して、その説明を省略する。
図６（ａ）及び図６（ｂ）に示すように、本実施例の第２の変形例に係るカバー付き吸引具１ｂは、カバー付き吸引具１における下方カバー１０、逆止弁１５及び開放機構１８の代わりに、それぞれテーパー型の下方カバー３１、逆止弁２７及び開放機構２９が備えられる。このうち、下方カバー３１は、カバー付き吸引具１ｂに弁ハンドル２２が備えられないので、スリット１０ｃが不要である。
そして、逆止弁２７は、柔軟性及び弾性を有する合成樹脂材からなる複数の閉止弁体２８，２８の周縁同士が、何ら力が加えられない場合には互いに隙間なく密着するように組み合わされたものである。なお、閉止弁体２８，２８同士が密着している場合、閉止弁体２８，２８は略半球状をなしている。また、開放機構２９は、柔軟性及び弾性を有する合成樹脂材からなり、逆止弁２７を収容してスポイト筒３寄りにノズル５に配置される弁室２９ａであって、その両側を挟むことで、複数の閉止弁体２８，２８の位置が変化し、閉止弁体２８と閉止弁体２８の隙間に流路３０が形成される構成である。
さらに、カバー付き吸引具１ｂは、上方カバー９の下縁９ａが下方カバー３１の内側に挿入されて設置されるとともに、カバー付き吸引具１における係止部１１の代わりに、係止部３２が備えられる。この係止部３２は、下方カバー３１の内周面に沿ってリング状に設けられる複数段の突出部３２ａである。この突出部３２ａは、下方カバー３１の長手方向に沿った断面が鋸歯状に形成される。そのため、突出部３２ａの尖った先端と上方カバー９の外周面との摩擦によって、下方カバー３１が上方カバー９に対しその長軸に沿って上方向及び下方向に直線移動可能に固定される。
この他のカバー付き吸引具１ｂの構成は、実施例１に係るカバー付き吸引具１と同様である。
【００５４】
上記構成のカバー付き吸引具１ｂにおいては、キャップ４を押さえて圧縮すると、カバー付き吸引具１と同様に、排気弁体１３ｂが排気口１３ａを開放するように動作するが、逆止弁２７を構成する閉止弁体２８，２８は、弁室２９ａを閉止した状態である。
次に、液体２６の吸引時においては、ノズル５の先端口５ａを液体２６に接触させてキャップ４を押さえることを中止すると、排気口１３ａを閉止させるように排気弁体１３ｂが動作する。さらに、キャップ４が伸展し内部空間６が負圧となることにより、先端口５ａから流入した液体２６が、閉止弁体２８と閉止弁体２８の隙間を通過してスポイト筒３の内部空間６へ吸引される。
さらに、図５（ｂ）に示すように、導入口１４ａを開放するよう蓋体１４ｂを手動で動作させると同時に弁室２９ａの両側を挟む（矢印Ｘ）と、閉止弁体２８と閉止弁体２８の隙間が拡張して流路３０が形成される。その結果、スポイト筒３に貯留した液体２６は、導入口１４ａから流入する外部空気Ａｏｕｔに押されることによって、形成された流路３０を通過してノズル５の先端口５ａから外部空間１２へ排出される。この他のカバー付き吸引具１ｂの作用は、実施例１に係るカバー付き吸引具１と同様である。
【００５５】
以上説明したように、カバー付き吸引具１ｂによれば、カバー付き吸引具１よりも簡易な構成であるものの、カバー付き吸引具１と同様に自在に液体２６をスポイト筒３へ吸引又はスポイト筒３から排出することができる。ただし、液体２６をスポイト筒３から排出する際は、下方カバー３１を操作して先端口５ａを中空部１０ｂから脱出させた後、弁室２９ａを直接挟持する必要があることから、カバー付き吸引具１と比較してやや操作が煩雑である。この他のカバー付き吸引具１ｂの効果は、実施例１に係るカバー付き吸引具１と同様である。
【００５６】
なお、本発明のカバー付き吸引具１，１ａ，１ｂの構造は実施例に示すものに限定されない。例えば、排気口１３ａ，２３ａや排気弁体１３ｂ，２３ｂの大きさ、形状及び個数は、スポイト筒３やノズル５の形状を考慮して、適宜調整される。また、係止部１１，２５，３２と、カバー付き吸引具１，１ａ，１ｂは、実施例に示す以外にそれぞれ互いに組み合わされても良い。さらに、上方カバー９は、スポイト筒３に取り付けられてもよい。
そして、カバー付き吸引具１において、傾動片２０は、取付片１９に対し軸体２１ｃを中心として先端口５ａの側に傾動するように構成されても良い。
さらに、カバー付き吸引具１ａ，１ｂにおいては、いずれも弁ハンドル２２が設けられないため、係止部２５，３２はそれぞれネジ部であっても良い。なお、この場合においても、下方カバー２４と下方カバー３１は、それぞれ螺旋軌道を描きながらそれぞれ上方カバー９，９に対しその長軸に沿って上方向及び下方向に移動可能である。
【産業上の利用可能性】
【００５７】
本発明は、事業所等で少量の液体や床面等に薄く広がった液体のサンプリング等に使用されるほか、研究所等で実験用等に使用されるカバー付き吸引具として利用可能である。
【符号の説明】
【００５８】
１，１ａ，１ｂ…カバー付き吸引具  ２…スポイト  ３…スポイト筒  ４…キャップ  ５…ノズル  ５ａ…先端口  ５ｂ…挿入口  ６…内部空間  ７…空気透過性フィルタ  ８…カバー  ９…上方カバー  ９ａ…下縁  １０…下方カバー  １０ａ…開放口  １０ｂ…中空部  １０ｃ…スリット  １１…係止部  １２…外部空間  １３…排気弁  １３ａ…排気口  １３ｂ…排気弁体  １４…導入部  １４ａ…導入口  １４ｂ…蓋体  １５…逆止弁  １６…閉止弁体  １６ａ…取付部  １７…流路  １８…開放機構  １９…取付片  ２０…傾動片  ２１…連結部  ２１ａ，２１ｂ…ジョイント部  ２１ｃ…軸体  ２２…弁ハンドル  ２２ａ…一端  ２２ｂ…他端  ２３…排気弁  ２３ａ…排気口  ２３ｂ…排気弁体  ２３ｃ…ヒンジ  ２４…下方カバー  ２４ａ…上縁  ２５…係止部  ２５ａ，２５ｂ…突出部  ２６…液体  ２７…逆止弁  ２８…閉止弁体  ２９…開放機構  ２９ａ…弁室  ３０…流路  ３１…下方カバー  ３２…係止部  ３２ａ…突出部  ３３…規定目盛  Ａｉｎ…内部空気  Ａｏｕｔ…外部空気
【図１】
0006607439.tif 000004
【図２】
0006607439.tif 000005
【図３】
0006607439.tif 000006
【図４】
0006607439.tif 000007
【図５】
0006607439.tif 000008
【図６】
0006607439.tif 000009